(57)【特許請求の範囲】
【請求項１】
収納用ケースの内部に、発熱する部品を含んだ電気機器が収納されてなる電気機器ユニットが上下方向に複数個積み上げられて構成された電気機器設備であって、
前記収納用ケースは、上下方向にそれぞれ開口する上側開口部及び下側開口部を有し且つ上下方向に延びて空気を上下方向にガイドする上下方向ダクトと、積み上げられた状態で下側に位置する別の前記収納用ケースとの間に横方向に延びる横方向ダクトを形成する横方向ダクト形成用構造部と、前記電気機器が収納される機器収納空間と、上下方向に延びて前記上下方向ダクトと前記機器収納空間との間を仕切る第１の仕切り壁部と、前記上下方向ダクトの内部に配置され、一端が前記第１の仕切り壁部に形成された第１の連通用開口部を通して前記機器収納空間に向かって開口し他端が前記収納用ケースの外部に向かって開口する排気ダクトとを備えており、前記上下方向ダクトと前記横方向ダクトとは前記下側開口部近傍で連通しており、
前記収納用ケース及び前記電気機器のいずれか一方には、横方向に延びて前記横方向ダクトと前記機器収納空間との間を仕切る第２の仕切り壁部と、前記第１の連通用開口部を介して前記機器収納空間内の空気を前記排気ダクトを通して外部に排出するファンとが備えられており、
前記第２の仕切り壁部には前記横方向ダクトと前記機器収納空間とを連通する第２の連通用開口部が形成されており、
複数個の前記電気機器ユニットが上下方向に積み上げられた状態で、上側に位置する前記電気機器ユニットの前記上下方向ダクトの前記下側開口部が、下側に位置する前記電気機器ユニットの前記上下方向ダクトの前記上側開口部と連結され、最も上側に位置する前記電気機器ユニットの前記収納用ケースの前記上側開口部が閉塞部材によって閉塞されていることを特徴とする電気機器設備。
【請求項２】
前記第２の連通用開口部は前記第１の仕切り壁部からできるだけ離れた位置に形成されている請求項１に記載の電気機器設備。
【請求項３】
前記電気機器は支持プレートの上に各種の部品が実装されて構成されており、
前記収納用ケースは、正面壁部が開閉可能な扉によって構成されており、背面壁部には前記排気ダクトの前記他端が開口する第３の連通用開口部が形成されており、また正面側から見て左右に位置する一つの側壁部の内側には前記支持プレートを前後方向にスライド可能に支持する一対のレールが固定されており、
前記支持プレートが前記一対のレールに支持された状態で、前記支持プレートが前記第２の仕切り壁部を構成していることを特徴とする請求項１又は２に記載の電気機器設備。
【請求項４】
前記一対のレールは、前記一対の側壁部の一対の下側端部から所定の距離だけ上方に離れた位置に配置されており、
前記一対の側壁部には、前記一対のレールよりも前記一対の下側端部寄りの位置に、前記下側に位置する別の収納用ケースの上壁部に対してネジ止めされるフランジがそれぞれ固定されている請求項３に記載の電気機器設備。
【請求項５】
前記背面壁部に設けられた前記第３の連通用開口部は、前記第１の仕切り壁部に設けられた前記第１の連通用開口部よりも下側にあって、前記第１の仕切り壁部と実質的に対面しない位置に形成されている請求項３に記載の電気機器設備。
【請求項６】
積み上げられた複数個の前記電気機器ユニットの一番下側に位置する電気機器ユニットが、支持台上に固定されており、
前記支持台は前記一番下側に位置する電気機器ユニットの前記収納用ケースの前記下側開口部から外気を吸入可能な状態で前記収納用ケースを支持し且つ前記収納用ケースとの間に前記横方向ダクトを形成することができる構造を有している請求項１に記載の電気機器設備。
【請求項７】
前記支持台の内部には、前記複数台の電気機器ユニットと電気的に接続される別の電気機器が収納されており、
前記別の電気機器と前記複数台の電気機器ユニットとを電気的に接続する接続用ケーブルが、前記上下方向ダクト及び前記横方向ダクトを利用して敷設されている請求項６に記載の電気機器設備。
【請求項８】
前記電気機器の接続用ターミナルは、前記収納用ケースの前記扉と対向する位置に配置されており、
前記別の電気機器と前記電気機器ユニットとを接続する前記接続用ケーブルは前記横方向ダクトを通って前記接続用ターミナルに接続されている請求項７に記載の電気機器設備。
【請求項９】
前記電気機器は、直流電力を交流電力に変換するか又は交流電力を直流電力に変換する機能を有する電力変換器であり、負荷で必要とされる容量に応じて使用される前記電気機器ユニットの数が定められている請求項１に記載の電気機器設備。
【請求項１０】
収納用ケースの内部に、発熱する部品を含んだ電気機器が収納されてなる電気機器ユニットであって、
前記収納用ケースは、上下方向にそれぞれ開口する上側開口部及び下側開口部を有し且つ上下方向に延びて空気を上下方向にガイドする上下方向ダクトと、積み上げられた状態で下側に位置する部材との間に横方向に延びる横方向ダクトを形成する横方向ダクト形成用構造部と、前記電気機器が収納される機器収納空間と、上下方向に延びて前記上下方向ダクトと前記機器収納空間との間を仕切る第１の仕切り壁部と、前記上下方向ダクトの内部に配置され、一端が前記第１の仕切り壁部に形成された第１の連通用開口部を通して前記機器収納空間に向かって開口し他端が前記収納用ケースの外部に向かって開口する排気ダクトとを備えており、前記上下方向ダクトと前記横方向ダクトとは前記下側開口部近傍で連通しており、
前記収納用ケース及び前記電気機器のいずれか一方には、横方向に延びて前記横方向ダクトと前記機器収納空間との間を仕切る第２の仕切り壁部と、前記第１の連通用開口部を介して前記機器収納空間内の空気を前記排気ダクトを通して外部に排出するファンとが備えられており、
前記第２の仕切り壁部には前記横方向ダクトと前記機器収納空間とを連通する第２の連通用開口部が形成されており、
前記収納用ケースの前記上側開口部が閉塞部材によって閉塞されていることを特徴とする電気機器ユニット。
【発明の詳細な説明】
【０００１】
【発明の属する技術分野】
本発明は、収納用ケースの内部に、発熱する部品を含んだ電気機器が収納される電気機器設備に関するものである。
【０００２】
【従来の技術】
無停電電源装置等の電気機器設備は、筐体内部に、電力変換器等の発熱する部品が収納された構造を有している。このような電気機器設備では、負荷で必要とされる容量に応じて電気機器設備を製造しなくてはならない。そこで、収納用ケースの内部に、発熱部品を含んだ電気機器が収納されてなる電気機器ユニットを上下方向に複数個積み上げて構成したいわゆるユニットタイプの電気機器設備が提案された。このような電気機器設備では、負荷で必要とされる容量に応じて電気機器ユニットの数を適宜に設定するだけで、所望の容量の電気機器設備を得ることができる。
【０００３】
【発明が解決しようとする課題】
しかしながら、従来のユニットタイプの電気機器設備では、発熱部品の冷却を十分に行うことができなかった。特に上方に積み上げられた電気機器ユニットの冷却を十分に行うことができなかった。
【０００４】
本発明の目的は、上下方向に積み上げられた各電気機器ユニットの冷却を効率よく十分に行える電気機器設備を提供することにある。
【０００５】
本発明の他の目的は、各電気機器ユニットの機器収納空間内に満遍なく外気を流して冷却効果を高めることができる電気機器設備を提供することにある。
【０００６】
本発明の他の目的は、電気機器ユニットの冷却を効率よく十分に行え且つ簡単に形成できる電気機器設備を提供することにある。
【０００７】
【課題を解決するための手段】
本発明が改良の対象とする電気機器設備は、収納用ケースの内部に、発熱する部品を含んだ電気機器が収納されてなる電気機器ユニットが上下方向に複数個積み上げられて構成されている。本発明では、収納用ケースは、上下方向ダクトと、横方向ダクト形成用構造部と、電気機器が収納される機器収納空間と、上下方向に延びて上下方向ダクトと機器収納空間との間を仕切る第１の仕切り壁部と、排気ダクトとを備えている。上下方向ダクトは、上下方向にそれぞれ開口する上側開口部及び下側開口部を有し且つ上下方向に延びて空気を上下方向にガイドするダクトである。横方向ダクト形成用構造部は、積み上げられた状態で下側に位置する別の収納用ケースとの間に横方向に延びる横方向ダクトを形成する構造部である。なお、この横方向ダクト形成用構造部は、横方向ダクトを形成するための構造部であるから、横方向ダクトそのものであってもよいし、横方向ダクトを形成するための一部であっても構わない。排気ダクトは、上下方向ダクトの内部に配置され、一端が第１の仕切り壁部に形成された第１の連通用開口部を通して機器収納空間に向かって開口し他端が収納用ケースの外部に向かって開口するダクトである。そして、上下方向ダクトと横方向ダクトとは下側開口部近傍で連通させる。また、収納用ケース及び電気機器のいずれか一方には、横方向に延びて横方向ダクトと機器収納空間との間を仕切る第２の仕切り壁部と、第１の連通用開口部を介して機器収納空間内の空気を排気ダクトを通して外部に排出するファンとを備える。この第２の仕切り壁部には横方向ダクトと機器収納空間とを連通する第２の連通用開口部を形成する。そして、複数個の電気機器ユニットが上下方向に積み上げられた状態で、上側に位置する電気機器ユニットの上下方向ダクトの下側開口部を下側に位置する電気機器ユニットの上下方向ダクトの上側開口部と連結し、最も上側に位置する電気機器ユニットの収納用ケースの上側開口部を閉塞部材によって閉塞する。本発明の電気機器設備では、ファンを作動させると、下側開口部から吸入された外気が、複数個の電気機器ユニット内を連通する上下方向ダクト内を上下方向に流れる。次に、この外気は、各電気機器ユニットの横方向ダクトを通って、第２の連通用開口部から機器収納空間内に流れる。なお、最も上側に位置する電気機器ユニットの収納用ケースの上側開口部は閉塞部材によって閉塞されているため、上下方向ダクト内を流れる外気は、外部に排出されることなく、各横方向ダクトに流れる。そして、機器収納空間内を流れた外気は、第１の連通用開口部を介して排気ダクトを流れて外部に排出される。本発明によれば、上下方向ダクトの下方から流れる外気を電気機器ユニットのそれぞれの横方向ダクト及び排気ダクトを通して電気機器ユニットを冷却するので、比較的低温の下方の外気により各電気機器ユニットを十分に冷却でき、特に上方に積み上げられた電気機器ユニットも効率よく冷却できる。
【０００８】
また、本発明では、電気機器ユニットを上下方向に複数個積み上げるだけで簡単に上下方向ダクトが形成できる利点がある。
【０００９】
第２の連通用開口部は第１の仕切り壁部からできるだけ離れた位置に形成するのが好ましい。このようにすれば、第２の連通用開口部を第１の仕切り壁部に形成された第１の連通用開口部から離して形成することができる。そのため、機器収納空間内に外気を供給する第２の連通用開口部と、機器収納空間内から外気を排出する第１の連通用開口部とを離して形成でき、機器収納空間内に満遍なく外気を流して冷却効果を高めることができる。
【００１０】
第２の仕切り壁部は、収納用ケース及び電気機器のどちらに形成してもよいが、電気機器の一部を第２の仕切り壁部として用いれば、収納用ケースの重量を軽くすることができる。例えば、支持プレートの上に各種の部品が実装して電気機器を構成し、この支持プレートで第２の仕切り壁部とすることができる。この場合、収納用ケースの正面壁部を開閉可能な扉によって構成し、背面壁部には排気ダクトの他端が開口する第３の連通用開口部を形成し、正面側から見て左右に位置する一つの側壁部の内側には支持プレートを前後方向にスライド可能に支持する一対のレールを固定する。そして、支持プレートを一対のレールに支持させればよい。このようにすれば、支持プレートを一対のレール上にスライドさせて電気機器を収納用ケース内に収納するだけで、第２の仕切り壁部を形成することができる。
【００１１】
このような一対のレールは、一対の側壁部の一対の下側端部から所定の距離だけ上方に離れた位置に配置すればよい。このようにすれば、一対のレールの下方に横方向ダクトが形成される。この場合、一対の側壁部の一対のレールよりも一対の下側端部寄りの位置に、下側に位置する別の収納用ケースの上壁部に対してネジ止めされるフランジをそれぞれ固定すればよい。
【００１２】
背面壁部に設けられた第３の連通用開口部は、第１の仕切り壁部に設けられた第１の連通用開口部よりも下側にあって、第１の連通用開口部と実質的に対面しない位置に形成するのが好ましい。このようにすれば、第３の連通用開口部から第１の連通用開口部を通して機器収納空間内に水が浸入するのを防ぐことができる。
【００１３】
また、積み上げられた複数個の前記電気機器ユニットの一番下側に位置する電気機器ユニットは、支持台上に固定してもよい。この場合、支持台は一番下側に位置する電気機器ユニットの収納用ケースの下側開口部から外気を吸入可能な状態で収納用ケースを支持し且つ収納用ケースとの間に横方向ダクトを形成することができる構造にすればよい。このようにすれば、ファンを作動させると、上下方向ダクトの下側開口部には、支持台を通して外気が吸入され、一番下側に位置する電気機器ユニットの機器収納空間には、支持台と収納用ケースとの間の横方向ダクトを通して外気が流れる。
【００１４】
このような支持台を設ければ、支持台の内部には、複数台の電気機器ユニットと電気的に接続される別の電気機器が収納することができる。この場合、別の電気機器と複数台の電気機器ユニットとを電気的に接続する接続用ケーブルを上下方向ダクト及び横方向ダクトを利用して敷設すればよい。
【００１５】
電気機器の接続用ターミナルは、収納用ケースの扉と対向する位置に配置するのが好ましい。このようにすれば、電気機器を収納用ケース内に収納しても、収納用ケースの扉を開いた状態にしておけば、正面側から接続用ターミナルと接続用ケーブルとの接続を簡単に行える。この場合、接続用ケーブルは横方向ダクトを通って接続用ターミナルに接続すればよい。
【００１６】
電気機器としては、直流電力を交流電力に変換するか又は交流電力を直流電力に変換する機能を有する電力変換器等を用いることができる。また、電気機器ユニットは、負荷で必要とされる容量に応じて使用される数に定めればよい。
【００１７】
なお本発明で用いる電機機器ユニットは、単体でも使用は可能である。その場合には、収納用ケースの上側開口部を閉塞部材によって閉塞すればよい。
【００１８】
【発明の実施の形態】
以下、図面を参照して本発明の実施の形態を詳細に説明する。図１（Ａ）及び（Ｂ）は、本実施の形態の電気機器設備の背面図及び断面図であり、図２は、本実施の形態の電気機器設備の回路図である。図１に示すように、電気機器設備は、支持台１上に複数の電気機器ユニット３Ａ〜３Ｃが上下方向に３個積み上げられて構成されている。支持台１内には、スイッチ用電気機器５が配置されており、電気機器ユニット３Ａ〜３Ｃ内には、電気機器を構成する電力変換器７がそれぞれ配置されている。なお、図１（Ｂ）においては、理解を容易にするため、電力変換器７は、ファン１７，接続用ターミナル２０及び輪郭の一部だけが描かれている。スイッチ用電気機器５及び電力変換器７…は、接続用ケーブル９を介して電気的に接続されて図２に示す回路を有する無停電電源装置を構成している。電力変換器７の数は、負荷で必要とされる容量に応じて適宜に数を定めればよい。
【００１９】
支持台１は、ベース１１と、ベース１１上に配置された入出力ボックス１３とから構成されている。ベース１１は、４つの側壁部１１ａ〜１１ｄと、底壁部１１ｅとを有しており、内部は入出力ボックス１３内と連通している。４つの側壁部１１ａ〜１１ｄの前方側と後方側に位置する２つの側壁部１１ａ，１１ｃには、外気を吸入する吸入口１１ｆ，１１ｇがそれぞれ形成されている。吸入口１１ｆ，１１ｇは、複数のスリットが並んで形成されている。
【００２０】
入出力ボックス１３は、上壁部１３ａと、３つの側壁部１３ｂ〜１３ｄと、開閉扉１３ｅとを有しており、内部に前述したスイッチ用電気機器５を収納している。上壁部１３ａの後方側寄りの部分には、吸入口１１ｆ，１１ｇから吸入した外気を電気機器ユニット３Ａ〜３Ｃ側に送る上方開口部１３ｇが形成されている。
【００２１】
電気機器ユニット３Ａ〜３Ｃは、いずれも同じ構造を有しており、図１及び図３に示すように、電力変換器７が収納用ケース１５の内部に収納されて構成されている。なお、図３は、上下方向の真中に配置された電気機器ユニット３Ｂの収納用ケース１５及び電力変換器７の斜視図を示している。電力変換器７は、箱形ケース１９内に図示しない発熱する部品が収納されて構成されており、直流電力を交流電力に変換するか又は交流電力を直流電力に変換する機能を有している。この箱形ケース１９は、上壁部１９ａと４つの側壁部１９ｂ〜１９ｅと底壁部を構成する支持プレート１９ｆとを有している。４つの側壁部１９ｂ〜１９ｅの一つの側壁部１９ｂの外側表面には、箱形ケース１９内に収納された部品に電気的に接続された接続用ターミナル２０が形成されている。支持プレート１９ｆ上には、各種部品が実装されており、側壁部１９ｂ寄りの部分には、複数のスリットが並んで形成された底壁開口部１９ｇが形成されている。また、側壁部１９ｂと対向する側壁部１９ｄには、後方開口部１９ｈが形成されており、側壁部１９ｄの内側には該後方開口部１９ｈを通して箱形ケース１９の内部の空気を外部に排出するファン１７が固定されている。この電力変換器７は、接続用ターミナル２０が、後述する収納用ケース１５の開閉扉２１ａと対向するように、収納用ケース１５内に配置されている。
【００２２】
収納用ケース１５は、図３及び図４（Ａ）〜（Ｃ）に詳細に示すように、ほぼ直方体の輪郭形状を有しており、機器収納部２１と上下方向ダクト２３と排気ダクト２５を備えるように鉄板を用いて形成されている。機器収納部２１は、正面壁部を構成する開閉扉２１ａと上壁部２１ｂと一対の側壁部２１ｃ，２１ｄと背面壁部を構成する第１の仕切り壁部２１ｅとを有しており、内部には機器収納空間２１ｆが形成されている。第１の仕切り壁部２１ｅの中心には、第１の連通用開口部２１ｇが形成されている。一対の側壁部２１ｃ，２１ｄの下方には、相互に対向する方向に突出する一対のレール２７Ａ，２７Ｂが形成されており、一対のレール２７Ａ，２７Ｂより更に下方の下側端部にも相互に対向する方向に突出する一対のフランジ２９Ａ，２９Ｂが形成されている。一対のレール２７Ａ，２７Ｂは、細長い帯状を有しており、電力変換器７を収納用ケース１５の内部に配置できるように電力変換器７の支持プレート１９ｆを前後方向にスライド可能に支持している。また、一対のフランジ２９Ａ，２９Ｂも一対のレール２７Ａ，２７Ｂと同様に、細長い帯状を有している。そして、図１（Ｂ）に示すように、上下方向の最上部及び真中に配置された電気機器ユニット３Ａ及び３Ｂの一対のフランジ２９Ａ，２９Ｂは、それぞれ下方に配置された電気機器ユニット３Ｂ及び３Ｃの上壁部２１ｂにネジ止めされており、上下方向の最下部に配置された電気機器ユニット３Ｃの一対のフランジ２９Ａ，２９Ｂは、支持台１の上壁部１３ａにネジ止めされている。これにより、電気機器ユニット３Ａ及び３Ｂ内には、側壁部２１ｃのレール２７Ａとフランジ２９Ａとの間の部分と、側壁部２１ｄのレール２７Ｂとフランジ２９Ｂとの間の部分と、支持プレート１９ｆと、収納用ケース１５の上壁部２１ｂとに囲まれた横方向ダクト３１Ａ及び３１Ｂがそれぞれ形成される。また、電気機器ユニット３Ｃ内には、側壁部２１ｃのレール２７Ａとフランジ２９Ａとの間の部分と、側壁部２１ｄのレール２７Ｂとフランジ２９Ｂとの間の部分と、支持プレート１９ｆと、支持台１の上壁部３１ａとに囲まれた横方向ダクト３１Ｃが形成される。なお、本例では、横方向ダクト３１Ａ〜３１Ｃを構成する横方向ダクト形成用構造部は、一対のレール２７Ａ，２７Ｂ、一対のフランジ２９Ａ，２９Ｂ、側壁部２１ｃのレール２７Ａとフランジ２９Ａとの間の部分、及び側壁部２１ｄのレール２７Ｂとフランジ２９Ｂとの間の部分により構成されている。また、電力変換器７が収納用ケース１５の内部に収納されることにより、電力変換器７の支持プレート１９ｆが横方向ダクト（３１Ａ，３１Ｂ又は３１Ｃ）と機器収納空間２１ｆとの間を仕切る第２の仕切り壁部を構成し、支持プレート１９ｆの底壁開口部１９ｇが横方向ダクト（３１Ａ，３１Ｂ又は３１Ｃ）と機器収納空間２１ｆとを連通する第２の連通用開口部を構成することになる。第２の連通用開口部（底壁開口部１９ｇ）は、側壁部１９ｂ寄りの部分、即ち、開閉扉２１ａ側に形成されているので、第１の仕切り壁部２１ｅから離れた位置に形成されていることになる。なお、本例では、電力変換器７に第２の仕切り壁部（支持プレート１９ｆ）及び第２の連通用開口部（底壁開口部１９ｇ）を形成し、電力変換器７を収納用ケース１５の内部に収納することにより、横方向ダクト３１Ａ〜３１Ｃを形成しているが、収納用ケース１５に第２の仕切り壁部及び第２の連通用開口部を形成し、収納用ケース１５に横方向ダクトを形成しても構わない。
【００２３】
上下方向ダクト２３は、機器収納部２１の背面側（開閉扉２１ａと反対側）に配置されて、機器収納部２１の背面壁部（第１の仕切り壁部２１ｅ）と、該第１の仕切り壁部２１ｅと対向する背面壁部２３ａと、両壁部２１ｅ及び２３ａを連結する一対の連結壁部２３ｂ，２３ｃとに囲まれて構成されており、細長い長方形の横断面形状を有している。これにより、上下方向ダクト２３は、上下方向にそれぞれ開口する上側開口部２３ｄ及び下側開口部２３ｅを有して空気を上下方向にガイドする役割を果たす。第１の仕切り壁部２１ｅの上部は、機器収納部２１の上壁部２１ｂの面から僅かに突出している。また、この第１の仕切り壁部２１ｅは、一対のレール２７Ａ，２７Ｂの上方において、上下方向ダクト２３と機器収納空間２１ｆとの間を仕切るように形成されており、第１の仕切り壁部２１ｅの下方には、上下方向ダクト２３と横方向ダクト（３１Ａ，３１Ｂ又は３１Ｃ）とを下側開口部２３ｅ近傍で連通する開口部２３ｆが形成されている。背面壁部２３ａの上部も第１の仕切り壁部２１ｅの上部と同様に、機器収納部２１の上壁部２１ｂの面から僅かに突出している。また、この背面壁部２３ａは、上側開口部２３ｄから下側開口部２３ｅに向かうに従って、第１の仕切り壁部２１ｅから離れるように傾斜しており、下方端部に横方向ダクト内部に突出する細い帯状の突出部２３ｇが接続されている。一対の連結壁部２３ｂ，２３ｃも背面壁部２３ａと同様に、機器収納部２１の上壁部２１ｂの面から僅かに突出している。また、これら一対の連結壁部２３ｂ，２３ｃは、上側開口部２３ｄから下側開口部２３ｅに向かうに従って、相互に離れるように傾斜しており、下方端部に突出部２３ｇと連結された状態で相互に向かい合って突出する細い帯状の突出部（図示せず）が接続されている。このような各壁部２１ｅ…の構成により、図１（Ｂ）に示すように、最上部及び真中に配置される電気機器ユニット３Ａ及び３Ｂが上下方向に積み上げられた状態で、上側に位置する電気機器ユニット（３Ａ又は３Ｂ）の上下方向ダクト２３の下側開口部２３ｅが、下側に位置する電気機器ユニット（３Ｂ又は３Ｃ）の上下方向ダクト２３の上側開口部２３ｄに連結される。そして、最上部に配置された電気機器ユニット３Ａの上側開口部２３ｄが閉塞部材３３によって閉塞されている。また、最下部に配置される電気機器ユニット３Ｃの上下方向ダクト２３の下側開口部２３ｅは、支持台１の上方開口部１３ｇに連結される。
【００２４】
排気ダクト２５は、図４に示すように、上下方向ダクト２３の内部において第１の仕切り壁部２１ｅから背面壁部２３ａに亘って形成されており、長方形の一対の壁部２５ａ，２５ｂと該壁部２５ａ，２５ｂを連結する平行四辺形の壁部２５ｃ，２５ｄとに囲まれて形成されている。一対の壁部２５ａ，２５ｂは、第１の仕切り壁部２１ｅから背面壁部２３ａに向かうに従って下方に傾斜するように相互に平行に配置されている。また、この排気ダクト２５は、一端が第１の仕切り壁部２１ｅに形成された第１の連通用開口部２１ｇを通して機器収納空間２１ｆに向かって開口し他端が背面壁部２３ａに形成された第３の連通用開口部２３ｈを通して収納用ケース１５の外部に向かって開口している。第１の連通用開口部２１ｇは、第１の仕切り壁部２１ｅの壁部２５ａ〜２５ｄで囲まれた領域のほぼ上方半部に形成されている。また、第３の連通用開口部２３ｈは、背面壁部２３ａの壁部２５ａ〜２５ｄで囲まれた領域のほぼ下方半部に形成されており、網目状の通気性を有する蓋部材３５により覆われている。これにより、第３の連通用開口部２３ｈは、第１の連通用開口部２１ｇよりも下側にあって、第１の連通用開口部２１ｇと実質的に対面しない位置に形成されている。
【００２５】
図１に示すように、スイッチ用電気機器５と各電力変換器７とを電気的に接続する接続用ケーブル９は、本線９ａと、本線９ａから分岐して各電力変換器７に延びる３つの分岐線９ｂ…とを有している。本線９ａは、スイッチ用電気機器５から支持台１の上方開口部１３ｇを通って上下方向ダクト２３内を上下方向に敷設されている。３つの分岐線９ｂ…は、上下方向ダクト２３内で本線９ａから分岐して、電気機器ユニット３Ａ〜３Ｃの各開口部２３ｆを通って横方向ダクト３１Ａ〜３１Ｃ内にそれぞれ敷設されている。そして、分岐線９ｂ…の端部は、収納用ケース１５の開閉扉２１ａと対向する位置に配置された接続用ターミナル２０にそれぞれ電気的に接続されている。
【００２６】
次に、本例の電気機器設備内の冷却用空気の流れについて説明する。まず、各電気機器ユニット３Ａ〜３Ｃのファン１７を作動させると、支持台１の吸入口１１ｆ，１１ｇから吸入された外気が上方開口部１３ｇを通って、電気機器ユニット３Ａ〜３Ｃ内を連通する３つの上下方向ダクト２３…内を上下方向に流れる。次に、この外気は、電気機器ユニット３Ａ〜３Ｃの各開口部２３ｆを通って横方向ダクト３１Ａ〜３１Ｃ内にそれぞれ送られる。そして、電力変換器７の底壁開口部（第２の連通用開口部）１９ｇを通って各電力変換器７の内部に入り、ファン１７を通過して後方開口部１９ｈから外部に出る。次に、第１の仕切り壁部２１ｅの第１の連通用開口部２１ｇを通って各排気ダクト２５内を流れ、第３の連通用開口部２３ｈから外部に排出される。本例によれば、支持台１の下方の吸入口１１ｆ，１１ｇから上下方向ダクト２３を通して流れる外気を電気機器ユニット３Ａ〜３Ｃのそれぞれの横方向ダクト（３１Ａ，３１Ｂ又は３１Ｃ）及び排気ダクト２５を通して電気機器ユニット３Ａ〜３Ｃを冷却するので、比較的低温の下方の外気により各電気機器ユニットを十分に冷却でき、特に上方に積み上げられた電気機器ユニット３Ａも効率よく冷却できる。また、電力変換器７の支持プレート１９ｆを横方向ダクト３１Ａ〜３１Ｃと機器収納空間２１ｆとの間を仕切る第２の仕切り壁部として用いるので、収納用ケース１５の重量を軽くすることができる。
【００２７】
なお、上記例では、電力変換器７内にファンを設けたが、ファンは、収納用ケースに設けても構わない。
【００２８】
【発明の効果】
本発明によれば、上下方向ダクトの下方から流れる外気を電気機器ユニットのそれぞれの横方向ダクト及び排気ダクトを通して電気機器ユニットを冷却するので、比較的低温の下方の外気により各電気機器ユニットを十分に冷却でき、特に上方に積み上げられた電気機器ユニットも効率よく冷却できる。
【００２９】
また、本発明では、電気機器ユニットを上下方向に複数個積み上げるだけで簡単に上下方向ダクトが形成できる利点がある。
【図面の簡単な説明】
【図１】  （Ａ）及び（Ｂ）は、本発明の実施の形態の電気機器設備の背面図及び断面図である。
【図２】  図１に示す電気機器設備の回路図である。
【図３】  図１に示す電気機器設備に用いる電気機器ユニットの収納用ケース及び電力変換器の斜視図である。
【図４】  （Ａ）〜（Ｃ）は、図１に示す電気機器設備に用いる収納用ケースの平面図、背面図及び断面図である。
【符号の説明】
１  支持台
３Ａ〜３Ｃ  電気機器ユニット
５  スイッチ用電気機器（別の電気機器）
７  電力変換器（電気機器）
９  接続用ケーブル
１１  ベース
１３  入出力ボックス
１５  収納用ケース
１７  ファン
１９  箱形ケース
２０  接続用ターミナル
１９ｆ  支持プレート（第２の仕切り壁部）
１９ｇ  底壁開口部（第２の連通用開口部）
２０  接続用ターミナル
２１  機器収納部
２１ａ  開閉扉
２１ｅ  第１の仕切り壁部
２１ｆ  機器収納空間
２１ｇ  第１の連通用開口部
２３  上下方向ダクト
２３ｈ  第３の連通用開口部
２５  排気ダクト
２７Ａ，２７Ｂ  レール
２９Ａ，２９Ｂ  フランジ
３１Ａ〜３１Ｃ  横方向ダクト
３３  閉塞部材
３５  蓋部材
【図１】
0003768793.tif 000002
【図２】
0003768793.tif 000003
【図３】
0003768793.tif 000004
【図４】
0003768793.tif 000005